(57)【特許請求の範囲】
【請求項１】
運転スイッチを含む操作スイッチがタクト式スイッチからなるスイッチ部と、マトリックス状に配列された複数の行ライン及び列ラインを夫々相互に導通させる複数のキースイッチを前記スイッチ部の各操作スイッチに対応させたキーマトリックスと、入力ポートに前記列ラインを接続すると共に出力ポートに前記行ラインを接続し、前記出力ポートから行ラインに出力してその時の列ラインの入力の有無により操作スイッチの操作判別をするスイッチスキャンを各行ライン毎に行う入力判別手段とを備え、前記入力判別手段の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを同時に実行しても問題がない操作スイッチの組み合わせにすると共に、前記１回で特定の操作スイッチの操作有無のみ判別するスイッチスキャンで判断される操作スイッチを安全上誤動作することが絶対許されない操作スイッチとし、前記入力判別手段は、特定の操作スイッチの操作有無のみ判別するスイッチスキャンで、特定の操作スイッチに対応する列ラインの入力を含めて多数の列ラインから入力があった時、その時の特定の操作スイッチに対応する列ラインの入力を不正な信号と判別して実行しないことを特徴とする燃焼機器の制御装置。
【請求項２】
運転スイッチを含む操作スイッチがタクト式スイッチからなるスイッチ部と、マトリックス状に配列された複数の行ライン及び列ラインを夫々相互に導通させる複数のキースイッチを前記スイッチ部の各操作スイッチに対応させたキーマトリックスと、入力ポートに前記列ラインを接続すると共に出力ポートに前記行ラインを接続し、前記出力ポートから行ラインに出力してその時の列ラインの入力の有無により操作スイッチの操作の判別をするスイッチスキャンを各行ライン毎に行う入力判別手段とを備え、前記入力判別手段の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを、同時に実行しても問題がない操作スイッチの組み合わせにすると共に、前記１回で特定の操作スイッチの操作有無のみ判別するスイッチスキャンで判断される操作スイッチを安全上誤動作することが絶対許されない操作スイッチとし、前記入力判別手段は、１回で複数の操作スイッチの操作有無を判別するスイッチスキャンで多数の列ラインから入力があった時、その時の多数の列ラインからの入力を全て正規な信号と判別し、その正規な信号と判別した全ての操作スイッチの動作を同時に実行することを特徴とする燃焼機器の制御装置。
【請求項３】
運転スイッチを含む操作スイッチがタクト式スイッチからなるスイッチ部と、マトリックス状に配列された複数の行ライン及び列ラインを夫々相互に導通させる複数のキースイッチを前記スイッチ部の各操作スイッチに対応させたキーマトリックスと、入力ポートに前記列ラインを接続すると共に出力ポートに前記行ラインを接続し、前記出力ポートから行ラインに出力してその時の列ラインの入力の有無により操作スイッチの操作判別をするスイッチスキャンを各行ライン毎に行う入力判別手段とを備え、前記入力判別手段の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを同時に実行しても問題がない操作スイッチの組み合わせとし、前記１回で特定の操作スイッチの操作有無のみ判別するスイッチスキャンで判断される操作スイッチを安全上誤動作することが絶対許されない操作スイッチとし、前記入力判別手段は、特定の操作スイッチの操作有無のみ判別するスイッチスキャンで、特定の操作スイッチに対応する列ラインの入力を含めて多数の列ラインから入力があった時、その時の特定の操作スイッチに対応する列ラインの入力を不正な信号と判別して実行しないと共に、前記入力判別手段は、１回で複数の操作スイッチの操作有無を判別するスイッチスキャンで多数の列ラインから入力があった時、その時の多数の列ラインからの入力を全て正規な信号と判別し、その正規な信号と判別した全ての操作スイッチの動作を同時に実行することを特徴とする燃焼機器の制御装置。
【請求項４】
運転スイッチを含む操作スイッチがタクト式スイッチからなるスイッチ部と、マトリックス状に配列された複数の行ライン及び列ラインを夫々相互に導通させる複数のキースイッチを前記スイッチ部の各操作スイッチに対応させたキーマトリックスと、入力ポートに前記列ラインを接続すると共に出力ポートに前記行ラインを接続し、前記出力ポートから行ラインに出力してその時の列ラインの入力の有無により操作スイッチの操作判別をするスイッチスキャンを各行ライン毎に行う入力判別手段とを備え、前記入力判別手段の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを同時に実行しても問題がない操作スイッチの組み合わせとし、前記１回で特定の操作スイッチの操作有無のみ判別するスイッチスキャンで判断される操作スイッチを安全上誤動作することが絶対許されない運転スイッチとし、前記入力判別手段は、特定の操作スイッチの操作有無のみ判別するスイッチスキャンで、特定の操作スイッチに対応する列ラインの入力を含めて多数の列ラインから入力があった時、その時の特定の操作スイッチに対応する列ラインの入力を不正な信号と判別して実行しないと共に、運転停止状態ではそのまま運転停止状態とし、運転状態では運転停止状態にすることを特徴とする燃焼機器の制御装置。
【発明の詳細な説明】
【０００１】
【発明の属する技術分野】
本発明は、操作部の複数の操作スイッチがタクト式スイッチにより構成された燃焼機器の制御装置に関するものである。
【０００２】
【従来の技術】
従来よりこの種のものに於いては、例えば図６の石油ファンヒータのように、本体１０１の前面側上部に操作部１０２が設けられ、この操作部１０２には運転の開始／停止を指令するための運転スイッチ１０３と、室温上昇スイッチ１０４や室温下降スイッチ１０５などからなる操作スイッチ１０６と、時刻や設定室温を表示する表示部１０７とが配設されている。
【０００３】
そしてこの操作部１０２の運転スイッチ１０３及び操作スイッチ１０６を構成するスイッチとして、スイッチのＯＮ状態を保持することができるロック式スイッチと、該ロック式スイッチよりも構造が簡単で安価なタクト式スイッチとがあり、操作部１０２の運転スイッチ１０３及び操作スイッチ１０６とをタクト式スイッチにより構成した場合、例えば運転停止状態で操作部１０２の運転スイッチ１０３を押すと、運転スイッチ１０３を押していた短い時間、マイコンからなる石油ファンヒータの制御部（図示せず）に運転スイッチ１０３のＯＮ信号が出力され、そこで石油ファンヒータの制御部は、運転停止状態から運転を開始し、又運転状態で、操作部１０２の運転スイッチ１０３を押すと、石油ファンヒータの制御部は、運転状態から運転を停止するものであった。
【０００４】
ところで、操作部１０２の運転スイッチ１０３をロック式スイッチとし、他の操作スイッチ１０６をタクト式スイッチにより構成した場合は、運転スイッチ１０３と操作スイッチ１０６を同時に押す多重入力を行っても、スイッチから手を離せば、運転スイッチ１０３だけがＯＮ状態を保持して運転スイッチ１０３のＯＮ信号だけが出力されているので、石油ファンヒータの制御部は運転スイッチ１０３のＯＮ信号を識別できるが、前記のように運転スイッチ１０３及び操作スイッチ１０６共、タクト式スイッチにより構成されている場合、運転スイッチ１０３と操作スイッチ１０６を同時に押す多重入力を行うと、スイッチから手を離すと同時に運転スイッチ１０３及び操作スイッチ１０６のＯＮ信号が出力されなくなり、したがって石油ファンヒータの制御部は運転スイッチ１０３のＯＮ信号を識別できないものであった。
【０００５】
又運転スイッチ１０３以外の操作スイッチ１０６を、複数同時に押す多重入力の場合も、スイッチから手を離すと同時に複数の操作スイッチ１０６からＯＮ信号が出力されなくなり、したがって石油ファンヒータの制御部は複数の操作スイッチ１０６のＯＮ信号を識別できないものであっので、複数のスイッチが同時に押される多重入力が行われた場合は、各操作スイッチからの入力を一切受け付けないようにしているものであった。
【０００６】
【発明が解決しようとする課題】
ところで、この従来のものでは、運転停止状態で、複数のスイッチが同時に押される多重入力が発生した場合は、各操作スイッチからの入力を受け付けないようにしているため、運転スイッチ１０３操作を含んだ多重入力が発生しても、燃焼運転が開始されることはなく、また、運転状態で、複数のスイッチが同時に押される多重入力が発生した場合は、これも各操作スイッチからの入力を受け付けないようにしているため、例えば室温設定スイッチ操作を含んだ多重入力が発生しても、設定室温が異常上昇することもなく安全であるが、運転状態で使用者が運転を停止しようとする意志により運転スイッチ１０３を押した時、運転スイッチ１０３を含んだ複数のスイッチが同時に押される多重入力である場合は、燃焼中であっても各スイッチからの入力を受け付けないので、運転を停止することができず、いつまでも燃焼運転を継続してしまうという問題があった。
【０００７】
また、瞬間的にノイズによりスイッチを操作した時と同じ信号が制御部に入力されると、誤動作を起こして勝手に運転を開始したり停止したりするので、制御部に入力される信号が正規の信号かノイズによる信号か識別するため、フィルタ回路を設けてそれに信号を通し、その結果により正規の信号かを識別したり、信号の長さを検知する回路を設けて、制御部に入力される信号の長さにより正規の信号かを識別したりする必要があった。
【０００８】
本発明は上記課題を解決し、操作部１０２の運転スイッチ１０３及び操作スイッチ１０６共、タクト式スイッチにより構成し、制御部に入力される信号が正規の信号かノイズによる信号か識別するフィルタ回路や、信号の長さを検知する回路を設けずに、運転スイッチ１０３と操作スイッチ１０６を同時に押す多重入力を行っても、燃焼機器の制御部が運転スイッチ１０３のＯＮ信号を識別することができる燃焼機器の制御装置を提供するものである。
【０００９】
【課題を解決するための手段】
この発明はこの点に着目し上記課題を解決するため、請求項１では特にその構成を、運転スイッチを含む操作スイッチがタクト式スイッチからなるスイッチ部と、マトリックス状に配列された複数の行ライン及び列ラインを夫々相互に導通させる複数のキースイッチを前記スイッチ部の各操作スイッチに対応させたキーマトリックスと、入力ポートに前記列ラインを接続すると共に出力ポートに前記行ラインを接続し、前記出力ポートから行ラインに出力してその時の列ラインの入力の有無により操作スイッチの操作判別をするスイッチスキャンを各行ライン毎に行う入力判別手段とを備え、前記入力判別手段の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを同時に実行しても問題がない操作スイッチの組み合わせにすると共に、前記１回で特定の操作スイッチの操作有無のみ判別するスイッチスキャンで判断される操作スイッチを安全上誤動作することが絶対許されない操作スイッチとし、前記入力判別手段は、特定の操作スイッチの操作有無のみ判別するスイッチスキャンで、特定の操作スイッチに対応する列ラインの入力を含めて多数の列ラインから入力があった時、その時の特定の操作スイッチに対応する列ラインの入力を不正な信号と判別して実行しないものである。
【００１０】
又本発明の請求項２に係る燃焼機器の制御装置では、特にその構成を、運転スイッチを含む操作スイッチがタクト式スイッチからなるスイッチ部と、マトリックス状に配列された複数の行ライン及び列ラインを夫々相互に導通させる複数のキースイッチを前記スイッチ部の各操作スイッチに対応させたキーマトリックスと、入力ポートに前記列ラインを接続すると共に出力ポートに前記行ラインを接続し、前記出力ポートから行ラインに出力してその時の列ラインの入力の有無により操作スイッチの操作の判別をするスイッチスキャンを各行ライン毎に行う入力判別手段とを備え、前記入力判別手段の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを、同時に実行しても問題がない操作スイッチの組み合わせにすると共に、前記１回で特定の操作スイッチの操作有無のみ判別するスイッチスキャンで判断される操作スイッチを安全上誤動作することが絶対許されない操作スイッチとし、前記入力判別手段は、１回で複数の操作スイッチの操作有無を判別するスイッチスキャンで多数の列ラインから入力があった時、その時の多数の列ラインからの入力を全て正規な信号と判別し、その正規な信号と判別した全ての操作スイッチの動作を同時に実行するものである。
【００１１】
又本発明の請求項３に係る燃焼機器の制御装置では、特にその構成を、運転スイッチを含む操作スイッチがタクト式スイッチからなるスイッチ部と、マトリックス状に配列された複数の行ライン及び列ラインを夫々相互に導通させる複数のキースイッチを前記スイッチ部の各操作スイッチに対応させたキーマトリックスと、入力ポートに前記列ラインを接続すると共に出力ポートに前記行ラインを接続し、前記出力ポートから行ラインに出力してその時の列ラインの入力の有無により操作スイッチの操作判別をするスイッチスキャンを各行ライン毎に行う入力判別手段とを備え、前記入力判別手段の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを同時に実行しても問題がない操作スイッチの組み合わせとし、前記１回で特定の操作スイッチの操作有無のみ判別するスイッチスキャンで判断される操作スイッチを安全上誤動作することが絶対許されない操作スイッチとし、前記入力判別手段は、特定の操作スイッチの操作有無のみ判別するスイッチスキャンで、特定の操作スイッチに対応する列ラインの入力を含めて多数の列ラインから入力があった時、その時の特定の操作スイッチに対応する列ラインの入力を不正な信号と判別して実行しないと共に、前記入力判別手段は、１回で複数の操作スイッチの操作有無を判別するスイッチスキャンで多数の列ラインから入力があった時、その時の多数の列ラインからの入力を全て正規な信号と判別し、その正規な信号と判別した全ての操作スイッチの動作を同時に実行するものである。
【００１２】
又本発明の請求項４に係る燃焼機器の制御装置では、特にその構成を、運転スイッチを含む操作スイッチがタクト式スイッチからなるスイッチ部と、マトリックス状に配列された複数の行ライン及び列ラインを夫々相互に導通させる複数のキースイッチを前記スイッチ部の各操作スイッチに対応させたキーマトリックスと、入力ポートに前記列ラインを接続すると共に出力ポートに前記行ラインを接続し、前記出力ポートから行ラインに出力してその時の列ラインの入力の有無により操作スイッチの操作判別をするスイッチスキャンを各行ライン毎に行う入力判別手段とを備え、前記入力判別手段の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを同時に実行しても問題がない操作スイッチの組み合わせとし、前記１回で特定の操作スイッチの操作有無のみ判別するスイッチスキャンで判断される操作スイッチを安全上誤動作することが絶対許されない運転スイッチとし、前記入力判別手段は、特定の操作スイッチの操作有無のみ判別するスイッチスキャンで、特定の操作スイッチに対応する列ラインの入力を含めて多数の列ラインから入力があった時、その時の特定の操作スイッチに対応する列ラインの入力を不正な信号と判別して実行しないと共に、運転停止状態ではそのまま運転停止状態とし、運転状態では運転停止状態にするものである。
【００１３】
【発明の実施の形態】
前記構成による請求項１記載の燃焼機器の制御装置によれば、運転スイッチ１４を含む操作スイッチがタクト式スイッチからなるスイッチ部１３と、マトリックス状に配列された複数の行ライン及び列ラインを夫々相互に導通させる複数のキースイッチを前記スイッチ部１３の各操作スイッチに対応させたキーマトリックスと、入力ポート（Ｐ２Ａ〜Ｐ２Ｃ）に前記列ラインを接続すると共に出力ポート（Ｐ１Ａ〜Ｐ１Ｄ）に前記行ラインを接続し、前記出力ポートから行ラインに出力して、その時の列ラインの入力の有無により操作スイッチの操作判別をするスイッチスキャンを、各行ライン毎に行う入力判別手段３７とを備え、前記入力判別手段３７の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを同時に実行しても問題がない操作スイッチの組み合わせにすると共に、前記１回で特定の操作スイッチの操作有無のみ判別するスイッチスキャンで判断される操作スイッチを安全上誤動作することが絶対許されない操作スイッチとし、前記入力判別手段は、特定の操作スイッチの操作有無のみ判別するスイッチスキャンで、特定の操作スイッチに対応する列ラインの入力を含めて多数の列ラインから入力があった時、その時の特定の操作スイッチに対応する列ラインの入力を不正な信号と判別して実行しないものである。
【００１４】
これにより、その１つのみスキャンする操作スイッチにより制御装置３に入力される信号が、正規の信号か誤操作又はノイズによる信号か判別することを、正規の信号かノイズによる信号か識別するフィルタ回路や、信号の長さを検知する回路を設けずに判別できるので、制御部に入力される信号が正規の信号かノイズによる信号か識別するフィルタ回路や、信号の長さを検知する回路を不要とする分コストダウンできると共に、前記回路で信号を処理する時間が不要な分操作信号の処理速度を早くすることができ、操作スイッチの操作に対する応答性を速くすることができるものである。
【００１５】
又前記構成による請求項２記載の燃焼機器の制御装置によれば、運転スイッチを含む操作スイッチがタクト式スイッチからなるスイッチ部と、マトリックス状に配列された複数の行ライン及び列ラインを夫々相互に導通させる複数のキースイッチを前記スイッチ部の各操作スイッチに対応させたキーマトリックスと、入力ポートに前記列ラインを接続すると共に出力ポートに前記行ラインを接続し、前記出力ポートから行ラインに出力してその時の列ラインの入力の有無により操作スイッチの操作の判別をするスイッチスキャンを各行ライン毎に行う入力判別手段とを備え、前記入力判別手段の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを、同時に実行しても問題がない操作スイッチの組み合わせにすると共に、前記１回で特定の操作スイッチの操作有無のみ判別するスイッチスキャンで判断される操作スイッチを安全上誤動作することが絶対許されない操作スイッチとし、前記入力判別手段は、１回で複数の操作スイッチの操作有無を判別するスイッチスキャンで多数の列ラインから入力があった時、その時の多数の列ラインからの入力を全て正規な信号と判別し、その正規な信号と判別した全ての操作スイッチの動作を同時に実行するものである。
【００１６】
これにより、１回のスイッチスキャンで判断される操作スイッチを、機能や安全上、同時に行っても問題がない操作スイッチの組み合わせにした上で、そのスイッチスキャンで判断される操作スイッチを同時押しされても、それを判別して同時押しされた操作スイッチの動作・制御を行うようにでき、設定によっては操作スイッチのを同時押しを判別して実行することで、操作性を優先させることができるものである。
【００１７】
又前記構成による請求項３記載の燃焼機器の制御装置によれば、運転スイッチを含む操作スイッチがタクト式スイッチからなるスイッチ部と、マトリックス状に配列された複数の行ライン及び列ラインを夫々相互に導通させる複数のキースイッチを前記スイッチ部の各操作スイッチに対応させたキーマトリックスと、入力ポートに前記列ラインを接続すると共に出力ポートに前記行ラインを接続し、前記出力ポートから行ラインに出力してその時の列ラインの入力の有無により操作スイッチの操作判別をするスイッチスキャンを各行ライン毎に行う入力判別手段とを備え、前記入力判別手段の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを同時に実行しても問題がない操作スイッチの組み合わせとし、前記１回で特定の操作スイッチの操作有無のみ判別するスイッチスキャンで判断される操作スイッチを安全上誤動作することが絶対許されない操作スイッチとし、前記入力判別手段は、特定の操作スイッチの操作有無のみ判別するスイッチスキャンで、特定の操作スイッチに対応する列ラインの入力を含めて多数の列ラインから入力があった時、その時の特定の操作スイッチに対応する列ラインの入力を不正な信号と判別して実行しないと共に、前記入力判別手段は、１回で複数の操作スイッチの操作有無を判別するスイッチスキャンで多数の列ラインから入力があった時、その時の多数の列ラインからの入力を全て正規な信号と判別し、その正規な信号と判別した全ての操作スイッチの動作を同時に実行するものである。
【００１８】
これにより、１つのみスキャンする操作スイッチにより制御装置３に入力される信号が、正規の信号か誤操作又はノイズによる信号か判別することを、正規の信号かノイズによる信号か識別するフィルタ回路や、信号の長さを検知する回路を設けずに判別できるので、制御部に入力される信号が正規の信号かノイズによる信号か識別するフィルタ回路や、信号の長さを検知する回路を不要とする分コストダウンできると共に、前記回路で信号を処理する時間が不要な分操作信号の処理速度を早くすることができ、操作スイッチの操作に対する応答性を速くすることができ、更に１回のスイッチスキャンで判別される複数の操作スイッチを、機能や安全上、同時に行っても問題がない操作スイッチの組み合わせにした上で、そのスイッチスキャンで判断される操作スイッチを同時押しされても、それを判別して同時押しされた操作スイッチの動作・制御を行うようにでき、設定によっては操作スイッチのを同時押しを判別して実行することで、操作性を優先させることができるものである。
【００１９】
又前記構成による請求項４記載の燃焼機器の制御装置によれば、運転スイッチを含む操作スイッチがタクト式スイッチからなるスイッチ部と、マトリックス状に配列された複数の行ライン及び列ラインを夫々相互に導通させる複数のキースイッチを前記スイッチ部の各操作スイッチに対応させたキーマトリックスと、入力ポートに前記列ラインを接続すると共に出力ポートに前記行ラインを接続し、前記出力ポートから行ラインに出力してその時の列ラインの入力の有無により操作スイッチの操作判別をするスイッチスキャンを各行ライン毎に行う入力判別手段とを備え、前記入力判別手段の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを同時に実行しても問題がない操作スイッチの組み合わせとし、前記１回で特定の操作スイッチの操作有無のみ判別するスイッチスキャンで判断される操作スイッチを安全上誤動作することが絶対許されない運転スイッチとし、前記入力判別手段は、特定の操作スイッチの操作有無のみ判別するスイッチスキャンで、特定の操作スイッチに対応する列ラインの入力を含めて多数の列ラインから入力があった時、その時の特定の操作スイッチに対応する列ラインの入力を不正な信号と判別して実行しないと共に、運転停止状態ではそのまま運転停止状態とし、運転状態では運転停止状態にするものである。
【００２０】
これにより、特に安全上、誤操作やノイズによる誤信号により誤動作することが絶対許されない操作スイッチである運転スイッチ１４の操作の判別は、運転停止状態であれば、運転スイッチ１４の操作を判断するスイッチスキャンで、運転スイッチ１４に該当する入力ポートのみが入力となった時だけ燃焼機器の運転を開始し、運転中であれば、運転スイッチ１４の操作を判断するスイッチスキャンで、複数の入力ポートが入力されていても、その中に運転スイッチ１４に該当する入力ポートが入力となっていれば、燃焼機器の運転を停止するものであり、それにより操作スイッチの同時押しによる誤操作又はノイズによる誤信号があっても、燃焼機器の開始及び停止を安全に行うことができるものでる。
【００２１】
【実施例】
次に、この発明に係る燃焼機器の制御装置を石油ファンヒータに適用した例を、図面に示された一実施例で説明する。
１は屋内に設置される石油ファンヒータ本体で、本体１内部にバーナ部２及びこの石油ファンヒータ１の作動を制御する制御装置３と、本体１背面開口部に対流ファン４と、本体１前面に温風吹出口５と、本体１前面側上部に操作部６とを備えているもので、バーナ部２での燃焼排気ガスを対流ファン４により温風吹出口５から室内に吹き出すことで暖房を行うものである。
【００２２】
前記バーナ部２は、バーナヘッド７の下部に気化ヒータ８を有した気化器９を備えて構成され、気化ヒータ８によって加熱された気化器９内に電磁ポンプ１０から石油が供給され、この気化ガスと燃焼ファン１１からの燃焼用一次空気との予混合ガスを前記バーナヘッド７で燃焼させるようにして、ターンダウン比が広く静かな気化燃焼を行うものである。
【００２３】
前記操作部６は、時刻や設定室温を表示する表示部１２と、各操作スイッチがタクト式スイッチにより構成されるスイッチ部１３とからなり、前記スイッチ部１３は、運転の開始／停止を指令するための運転スイッチ１４と、運転を所定時間延長するための延長スイッチ１５と、設定時刻に暖房運転を開始させるためのタイマースイッチ１６と、子供などがいたずらしても操作を受け付けないようにするチャイルドロックスイッチ１７と、前記表示部１２の表示内容を変更する表示切替スイッチ１８と、運転停止中に気化ヒータ８が所定温度に保持されるように通電制御して気化器９を予熱する５秒着火スイッチ１９と、設定温度下降と時刻の時間を設定する低／時スイッチ２０と、運転時の最大燃焼量を小さくする小部屋スイッチ２１と、設定温度上昇と時刻の分を設定する高／分スイッチ２２とが設けられているものである。
【００２４】
前記制御装置３は、図２に示すようにマイコン２３を主体として構成されており、交流電源側には、対流ファンモータ駆動回路２４を介して対流ファンモータ２５を接続し、また、リレーＸ１を介して気化ヒータ８と、リレーＸ２を介してバーナ点火用のイグナイタ２６とが接続されている。
【００２５】
一方、電源トランスを介した低電圧側には、電源回路２７を介してマイコン２３が設けられており、このマイコン２３は、燃焼モータ駆動回路２８を介して燃焼ファンモータ２９を制御し、また、電磁ポンプ駆動回路３０を介して電磁ポンプ１０を制御し、この電磁ポンプ駆動回路３０と電源を共有してフレームロッド制御回路３１を設け、バーナ部２での燃焼状態をフレームロッド３２で監視している。
【００２６】
また、前記マイコン２３には室温を検知する室温センサ３３と、気化器９の温度を検知する気化温度センサ３４と、本体１内部の異常温度上昇で開成する安全サーモスタット３５と、機器の揺れにより開成する対震自動消火装置３６と、前記リレーＸ１、リレーＸ２を駆動するソレノイドＸ１、ソレノイドＸ２とが接続されている。
【００２７】
そして、前記マイコン２３には、マトリックス状に配列された複数の行ライン及び列ラインを夫々相互に導通させる複数のキースイッチ（ＳＷ１〜ＳＷ９）を前記操作部の各操作スイッチに対応させたキーマトリックスが接続されており、更に詳しくはこのキーマトリクスのスイッチであるキースイッチ（ＳＷ１）は操作部６の運転スイッチ１４と対応しており、キーマトリクスの他の各キースイッチ（ＳＷ２〜ＳＷ９）は、前記延長スイッチ１５、タイマースイッチ１６、チャイルドロックスイッチ１７、表示切替スイッチ１８、５秒着火スイッチ１９、低／時スイッチ２０、小部屋スイッチ２１、高／分スイッチ２２等のその他の各操作スイッチに対応しているものである。
【００２８】
さらに、マイコン２３には複数の操作スイッチの入力を判別する入力判別手段３７が設けられており、詳しくは、各キースイッチ（ＳＷ１〜ＳＷ９）はマイコン２３の出力ポート（Ｐ１Ａ〜Ｐ１Ｄ）と入力ポート（Ｐ２Ａ〜Ｐ２Ｃ）にマトリクス状に接続されており、図３（ａ）に示すように、出力ポート（Ｐ１Ａ〜Ｐ１Ｄ）からは、各ポート毎にタイミングをずらして（２４６４ μｓ）、所定時間（１２．３２ｍｓ）毎にＨ電圧が出力されて、いずれかのキースイッチ（ＳＷ１〜ＳＷ６）が閉成されると、そのスイッチに対応する出力ポートのＬ出力タイミングと同期して対応する入力ポートがＨ入力となり、閉成されたスイッチが判別特定されるものである。
【００２９】
つまり、マイコン２３は、出力ポートＰ１ＡからＨ電圧が出力されている時に、スイッチ部１３の操作スイッチが操作されたかをスキャンするスイッチスキャン１を行い、次に出力ポートＰ１ＢからＨ電圧が出力されている時に、スイッチ部１３の操作スイッチが操作されたかをスキャンするスイッチスキャン２を行い、次に出力ポートＰ１ＣからＨ電圧が出力されている時に同様にスイッチスキャン３を行い、次に出力ポートＰ１ＤからＨ電圧が出力されている時に同様にスイッチスキャン４を行うというようにスイッチスキャンを行うもので、前記スイッチスキャン１からスイッチスキャン４からなるスイッチスキャンを繰り返して行うものである。
【００３０】
又マイコン２３の入力判別手段３７には、予め各スイッチスキャン時にどの入力ポートがＨ入力となった時に、どの操作スイッチが操作されたか判断できるようにデータが設定されており、例えば図３（ａ）の場合では、予め入力判別手段３７に、スイッチスキャン１で入力ポートＰ２ＡがＨ入力となった時、運転スイッチ１４（キーマトリクスのキースイッチＳＷ１）が操作されたと判断するように設定されているので、運転停止状態であれば運転を開始し、運転中であれば運転を停止するものであり、図３（ｂ）の場合では、予め入力判別手段３７に、スイッチスキャン２で入力ポートＰ２ＡがＨ入力となった時、延長スイッチ１５（キーマトリクスのキースイッチＳＷ２）が操作されたと判断するように設定されているので、運転を所定時間、例えば３時間延長するものである。
【００３１】
したがって１回のスイッチスキャン中に複数の入力ポートがＨ入力となった時は、複数の操作スイッチが操作されたと判断することができるので、１回のスイッチスキャンで判断される操作スイッチを、機能や安全上、同時に行っても問題がない操作スイッチの組み合わせにすれば、そのスイッチスキャンで判断される操作スイッチを同時押しされても、それを判別して同時押しされた操作スイッチの動作・制御を行うようにできるものであり、例えば図３（ｃ）の場合では、予め入力判別手段３７に、スイッチスキャン２で入力ポートＰ２ＡがＨ入力となった時、延長スイッチ１５（キーマトリクスのキースイッチＳＷ２）が操作されたと判断し、同じくスイッチスキャン２で入力ポートＰ２ＢがＨ入力となった時、タイマースイッチ１６（キーマトリクスのキースイッチＳＷ３）が操作されたと判断するように設定されているので、運転を所定時間、例えば３時間延長すると同時に設定時刻に暖房運転を開始させるものである。
【００３２】
又そのスイッチスキャンで判断される操作スイッチと、他のスイッチスキャンで判断される操作スイッチを同時押しされた場合、他のスイッチスキャンで判断される操作スイッチはその時のスイッチスキャンではスキャンされないので、そのスイッチスキャンで判断される操作スイッチだけが判別されて、それにしたがった動作・制御を行うようにできるものであり、例えば図３（ｄ）の場合では、予め入力判別手段３７に、スイッチスキャン２で入力ポートＰ２ＡがＨ入力となった時、延長スイッチ１５（キーマトリクスのキースイッチＳＷ２）が操作されたと判断し、スイッチスキャン３で入力ポートＰ２ＢがＨ入力となった時、表示切替スイッチ１８（キーマトリクスのキースイッチＳＷ５）が操作されたと判断するように設定されているので、スイッチスキャン２では表示切替スイッチ１８（キーマトリクスのキースイッチＳＷ５）の操作は判別されず、したがって延長スイッチ１５操作により運転を所定時間、例えば３時間延長するものである。
【００３３】
又逆に操作スイッチの同時押しはあくまでも誤操作であり受け付けないものとしたり、操作スイッチが同時押しされたと判別された時は、ノイズが誤信号としていずれかの入力ポートに入力された可能性があり受け付けないものとすれば、そのスイッチスキャンで判断される操作スイッチが複数同時押しされたと判別した時、その操作を受け付けずに表示部１２に操作エラーを表示したり、ブザー音などを発生させて誤操作であることを操作者に知らせるようにして、再度操作し直すようにしてもよいものである。
【００３４】
特に安全上、誤操作やノイズによる誤信号により誤動作することが絶対許されない操作スイッチ、例えば運転の開始・停止を行う運転スイッチ１４などは、１回のスイッチスキャンで操作されたと判断する操作スイッチをその運転スイッチ１４のみにして、そのスイッチスキャンで運転スイッチ１４に該当する入力ポートを含めて複数の入力ポートがＨ入力となった時、同時押しによる誤操作又はノイズによる誤信号であって不正な信号であると判断するもので、それにより運転停止状態であれば、運転スイッチ１４の操作を判断するスイッチスキャンで、運転スイッチ１４に該当する入力ポートのみがＨ入力となった時だけ運転を開始し、運転中であれば、運転スイッチ１４の操作を判断するスイッチスキャンで、複数の入力ポートがＨ入力となってもその中に運転スイッチ１４に該当する入力ポートがＨ入力となっていれば、安全を優先して運転を停止するものでる。
【００３５】
これは運転停止状態よりも運転状態の方が危険である、言い換えれば運転状態よりも運転運転停止状態の方が安全であるという思想により、運転停止状態から運転を開始する場合は、正当な運転スイッチ１４の操作であり且つノイズによる誤信号ではない時に、運転スイッチ１４が操作されたと判断し、運転状態から運転を停止する場合は、停止している方が安全なので、たとえ誤操作やノイズによる誤信号であっても、運転スイッチ１４に該当する入力ポートがＨ入力となっていれば、運転を停止するものである。
【００３６】
これにより本発明では、運転スイッチ１４を含め全ての操作スイッチが操作信号が瞬間的な信号となるタクト式スイッチにより構成されていても、制御装置３に入力される信号が正規の信号か誤操作又はノイズによる信号か判別することを、正規の信号かノイズによる信号か識別するフィルタ回路や、信号の長さを検知する回路を設けずに判別できるものである。
【００３７】
それにより制御装置３に入力される信号が正規の信号かノイズによる信号か識別するフィルタ回路や、信号の長さを検知する回路を不要とする分コストダウンできると共に、前記回路で信号を処理する時間が不要な分操作信号の処理速度を早くすることができ、操作スイッチの操作に対する応答性を速くすることができるものである。
【００３８】
又設定によっては１回のスイッチスキャンで判断される操作スイッチを、機能や安全上、同時に行っても問題がない操作スイッチの組み合わせにすれば、そのスイッチスキャンで判断される操作スイッチを同時押しされても、それを判別して同時押しされた操作スイッチの動作・制御を行うようにでき、設定によっては操作スイッチのを同時押しを判別して、操作性を優先させることもできるものである。
【００３９】
次に、図面に示すフローチャートを用いて本発明一実施例の作動を説明する。
図４は複数の入力ポートがＨ入力となった時、それは誤操作による操作スイッチの同時押し、又はノイズが誤信号としていずれかの入力ポートに入力されたもので、操作スイッチが操作されたとして受け付けないものとし、特に運転スイッチ１４をスキャンするスイッチスキャンで、運転スイッチ１４に該当する入力ポートを含めて複数の入力ポートがＨ入力となった時、運転停止状態であればそのまま運転停止状態とし、運転中であれば運転を停止するものである。
【００４０】
まず、操作スイッチのスイッチスキャンで、最初のスイッチスキャンを行い（Ｓ１）、その時入力ポートにＨ入力があるかチェックし（Ｓ２）、その時入力ポートにＨ入力がなければ、後述する（Ｓ５）へ進み、又その時入力ポートにＨ入力があれば、次にその入力ポートのＨ入力が１つであるかチェックし（Ｓ３）、入力ポートのＨ入力が１つであれば、正しい操作による正常なＨ入力であると判断して、そのＨ入力になった入力ポートに対応する操作スイッチの作動を実施するものである。（Ｓ４）
【００４１】
そして（Ｓ４）で、Ｈ入力になった入力ポートに対応する操作スイッチの作動を実施した後、最後のスイッチスキャンを行ったかチェックし（Ｓ５）、最後のスイッチスキャンまで行っていれば、（Ｓ１）へ戻って再び最初のスイッチスキャンを行い、（Ｓ５）で最後のスイッチスキャンまで行っていなければ、次のスイッチスキャンを行って（Ｓ６）、（Ｓ２）へ戻るものである。
【００４２】
又（Ｓ３）で、その時入力ポートにＨ入力が複数あれば、それは誤操作による操作スイッチの同時押し、又はノイズが誤信号としていずれかの入力ポートに入力されたものと判断して、操作エラーを所定時間表示し（Ｓ７）、次にその時のスイッチスキャンが、運転スイッチ１４をスキャンするスイッチスキャンであるかチェックし（Ｓ８）、その時運転スイッチ１４をスキャンするスイッチスキャンでなければ（Ｓ５）へ進み、又その時運転スイッチ１４をスキャンするスイッチスキャンであれば、次にＨ入力になった複数の入力ポートの中に、運転スイッチ１４に対応した入力ポートが含まれるかチェックする。（Ｓ９）
【００４３】
そして（Ｓ９）で、Ｈ入力になった複数の入力ポートの中に、運転スイッチ１４に対応した入力ポートが含まれていなければ（Ｓ５）へ進み、又Ｈ入力になった複数の入力ポートの中に、運転スイッチ１４に対応した入力ポートが含まれていれば、安全を優先して運転停止状態であればそのまま運転停止状態とし、運転中であれば運転を停止して（Ｓ１０）、（Ｓ１）へ戻るものである。
【００４４】
次に、その他の実施例として、図５は１回のスイッチスキャンで判断される操作スイッチを、機能や安全上、同時に行っても問題がない操作スイッチの組み合わせにすると共に、その１回のスイッチスキャンで判断される操作スイッチを同時押ししても、それを判別して同時押しされた操作スイッチの動作・制御を行うようにできるものの、運転スイッチ１４をスキャンするスイッチスキャンでは、運転スイッチ１４に該当する入力ポートを含めて複数の入力ポートがＨ入力となった時、安全を優先して運転停止状態であればそのまま運転停止状態とし、運転中であれば運転を停止するものである。
【００４５】
まず、操作スイッチのスイッチスキャンで、最初のスイッチスキャンを行い（Ｓ１１）、その時入力ポートにＨ入力があるかチェックし（Ｓ１２）、その時入力ポートにＨ入力がなければ、後述する（Ｓ１６）へ進み、又その時入力ポートにＨ入力があれば、次にその時のスイッチスキャンが、運転スイッチ１４をスキャンするスイッチスキャンであるかチェックするものである。（Ｓ１３）
【００４６】
そして（Ｓ１３）で、その時運転スイッチ１４をスキャンするスイッチスキャンでなければ、後述する（Ｓ１５）へ進み、又その時運転スイッチ１４をスキャンするスイッチスキャンであれば、次に入力ポートのＨ入力が１つであるかチェックし（Ｓ１４）、その時入力ポートのＨ入力が１つであれば、運転スイッチ１４について正しい操作による正常なＨ入力であると判断して、次にそのＨ入力になった入力ポートに対応する操作スイッチの作動を実施するものである。（Ｓ１５）
【００４７】
そして（Ｓ１５）で、Ｈ入力になった入力ポートに対応する操作スイッチの作動を実施した後、次に最後のスイッチスキャンを行ったかチェックし（Ｓ１６）、最後のスイッチスキャンまで行っていれば、（Ｓ１１）へ戻って再び最初のスイッチスキャンを行い、（Ｓ１６）で最後のスイッチスキャンまで行っていなければ、次のスイッチスキャンを行って（Ｓ１７）、（Ｓ１２）へ戻るものである。
【００４８】
又（Ｓ１４）で、その時入力ポートのＨ入力が複数であれば、次にＨ入力になった複数の入力ポートの中に、運転スイッチ１４に対応した入力ポートが含まれるかチェックし（Ｓ１８）、その時Ｈ入力になった複数の入力ポートの中に、運転スイッチ１４に対応した入力ポートが含まれていなければ（Ｓ１５）へ進むものである。
【００４９】
又運転スイッチ１４の操作については、安全を優先して操作スイッチの同時押しを認めず、あくまで運転スイッチ１４のみの操作により、入力ポートのＨ入力が運転スイッチ１４に対応した入力ポート１つの時しか運転スイッチ１４の操作を受け付けないようにしたので、（Ｓ１８）でその時Ｈ入力になった複数の入力ポートの中に、運転スイッチ１４に対応した入力ポートが含まれていれば、それは運転スイッチ１４を含めた操作スイッチの誤操作による同時押し、又はノイズが誤信号としていずれかの入力ポートに入力されたものと判断して、操作エラーを所定時間表示し（Ｓ１９）、次に安全を優先して運転停止状態であればそのまま運転停止状態とし、運転中であれば運転を停止して（Ｓ２０）、（Ｓ１１）へ戻るものである。
【００５０】
このように本発明では、運転スイッチ１４を含めた操作スイッチを操作信号が瞬間的な信号となるタクト式スイッチにより構成すると共に、マイコン２３には前記各操作スイッチと対応したキーマトリクスが接続されて、各キーマトリクスのスイッチはマイコン２３の複数の出力ポートと複数の入力ポートにマトリクス状に接続されており、この全操作スイッチの操作を複数回のスイッチスキャンにてスキャンする時、その複数回のスイッチスキャンの中の１回を運転の開始・停止を行う運転スイッチ１４などのように、特に安全上、誤操作やノイズによる誤信号により誤動作することが許されない操作スイッチ１つのみスキャンするようにしたので、その１つのみスキャンする操作スイッチにより制御装置に入力される信号が、正規の信号か誤操作又はノイズによる信号か判別することを、正規の信号かノイズによる信号か識別するフィルタ回路や、信号の長さを検知する回路を設けずに判別できるものである。
【００５１】
これにより、制御部に入力される信号が正規の信号かノイズによる信号か識別するフィルタ回路や、信号の長さを検知する回路を不要とする分コストダウンできると共に、前記回路で信号を処理する時間が不要な分操作信号の処理速度を早くすることができ、操作スイッチの操作に対する応答性を速くすることができるものである。
【００５２】
又設定によっては１回のスイッチスキャンで判断される操作スイッチを、機能や安全上、同時に行っても問題がない操作スイッチの組み合わせにすれば、そのスイッチスキャンで判断される操作スイッチを同時押しされても、それを判別して同時押しされた操作スイッチの動作・制御を行うようにでき、設定によっては操作スイッチのを同時押しを判別して、操作性を優先させることもできるものである。
【００５３】
【発明の効果】
以上のように、請求項１の燃焼機器の制御装置によれば、運転スイッチを含む操作スイッチがタクト式スイッチからなるスイッチ部と、マトリックス状に配列された複数の行ライン及び列ラインを夫々相互に導通させる複数のキースイッチを前記スイッチ部の各操作スイッチに対応させたキーマトリックスと、入力ポートに前記列ラインを接続すると共に出力ポートに前記行ラインを接続し、前記出力ポートから行ラインに出力してその時の列ラインの入力の有無により、操作スイッチの操作判別をするスイッチスキャンを、各行ライン毎に行う入力判別手段とを備え、前記入力判別手段の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを同時に実行しても問題がない操作スイッチの組み合わせにすると共に、前記１回で特定の操作スイッチの操作有無のみ判別するスイッチスキャンで判断される操作スイッチを安全上誤動作することが絶対許されない操作スイッチとし、前記入力判別手段は、特定の操作スイッチの操作有無のみ判別するスイッチスキャンで、特定の操作スイッチに対応する列ラインの入力を含めて多数の列ラインから入力があった時、その時の特定の操作スイッチに対応する列ラインの入力を不正な信号と判別して実行しないものである。
【００５４】
これにより、その１つのみスキャンする操作スイッチにより制御装置に入力される信号が、正規の信号か誤操作又はノイズによる信号か判別することを、正規の信号かノイズによる信号か識別するフィルタ回路や、信号の長さを検知する回路を設けずに判別できるので、制御部に入力される信号が正規の信号かノイズによる信号か識別するフィルタ回路や、信号の長さを検知する回路を不要とする分コストダウンできると共に、前記回路で信号を処理する時間が不要な分操作信号の処理速度を早くすることができ、操作スイッチの操作に対する応答性を速くすることができるものである。
【００５５】
又前記構成による請求項２記載の燃焼機器の制御装置によれば、運転スイッチを含む操作スイッチがタクト式スイッチからなるスイッチ部と、マトリックス状に配列された複数の行ライン及び列ラインを夫々相互に導通させる複数のキースイッチを前記スイッチ部の各操作スイッチに対応させたキーマトリックスと、入力ポートに前記列ラインを接続すると共に出力ポートに前記行ラインを接続し、前記出力ポートから行ラインに出力してその時の列ラインの入力の有無により操作スイッチの操作の判別をするスイッチスキャンを各行ライン毎に行う入力判別手段とを備え、前記入力判別手段の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを、同時に実行しても問題がない操作スイッチの組み合わせにすると共に、前記１回で特定の操作スイッチの操作有無のみ判別するスイッチスキャンで判断される操作スイッチを安全上誤動作することが絶対許されない操作スイッチとし、前記入力判別手段は、１回で複数の操作スイッチの操作有無を判別するスイッチスキャンで多数の列ラインから入力があった時、その時の多数の列ラインからの入力を全て正規な信号と判別し、その正規な信号と判別した全ての操作スイッチの動作を同時に実行するものである。
【００５６】
これにより、１回のスイッチスキャンで判断される操作スイッチを、機能や安全上、同時に行っても問題がない操作スイッチの組み合わせにした上で、そのスイッチスキャンで判断される操作スイッチを同時押しされても、それを判別して同時押しされた操作スイッチの動作・制御を行うようにでき、設定によっては操作スイッチの同時押しを判別して実行することで、操作性を優先させることができるものである。
【００５７】
又前記構成による請求項３記載の燃焼機器の制御装置によれば、運転スイッチを含む操作スイッチがタクト式スイッチからなるスイッチ部と、マトリックス状に配列された複数の行ライン及び列ラインを夫々相互に導通させる複数のキースイッチを前記スイッチ部の各操作スイッチに対応させたキーマトリックスと、入力ポートに前記列ラインを接続すると共に出力ポートに前記行ラインを接続し、前記出力ポートから行ラインに出力してその時の列ラインの入力の有無により操作スイッチの操作判別をするスイッチスキャンを各行ライン毎に行う入力判別手段とを備え、前記入力判別手段の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを同時に実行しても問題がない操作スイッチの組み合わせとし、前記１回で特定の操作スイッチの操作有無のみ判別するスイッチスキャンで判断される操作スイッチを安全上誤動作することが絶対許されない操作スイッチとし、前記入力判別手段は、特定の操作スイッチの操作有無のみ判別するスイッチスキャンで、特定の操作スイッチに対応する列ラインの入力を含めて多数の列ラインから入力があった時、その時の特定の操作スイッチに対応する列ラインの入力を不正な信号と判別して実行しないと共に、前記入力判別手段は、１回で複数の操作スイッチの操作有無を判別するスイッチスキャンで多数の列ラインから入力があった時、その時の多数の列ラインからの入力を全て正規な信号と判別し、その正規な信号と判別した全ての操作スイッチの動作を同時に実行するものである。
【００５８】
これにより、１つのみスキャンする操作スイッチにより制御装置に入力される信号が、正規の信号か誤操作又はノイズによる信号か判別することを、正規の信号かノイズによる信号か識別するフィルタ回路や、信号の長さを検知する回路を設けずに判別できるので、制御部に入力される信号が正規の信号かノイズによる信号か識別するフィルタ回路や、信号の長さを検知する回路を不要とする分コストダウンできると共に、前記回路で信号を処理する時間が不要な分操作信号の処理速度を早くすることができ、操作スイッチの操作に対する応答性を速くすることができ、更に１回のスイッチスキャンで判別される複数の操作スイッチを、機能や安全上、同時に行っても問題がない操作スイッチの組み合わせにした上で、そのスイッチスキャンで判断される操作スイッチを同時押しされても、それを判別して同時押しされた操作スイッチの動作・制御を行うようにでき、設定によっては操作スイッチのを同時押しを判別して実行することで、操作性を優先させることができるものである。
【００５９】
又前記構成による請求項４記載の燃焼機器の制御装置によれば、運転スイッチを含む操作スイッチがタクト式スイッチからなるスイッチ部と、マトリックス状に配列された複数の行ライン及び列ラインを夫々相互に導通させる複数のキースイッチを前記スイッチ部の各操作スイッチに対応させたキーマトリックスと、入力ポートに前記列ラインを接続すると共に出力ポートに前記行ラインを接続し、前記出力ポートから行ラインに出力してその時の列ラインの入力の有無により操作スイッチの操作判別をするスイッチスキャンを各行ライン毎に行う入力判別手段とを備え、前記入力判別手段の判別に基づいて燃焼機器の制御を行う燃焼機器の制御装置に於いて、前記スイッチスキャンは、１回で複数の操作スイッチの操作有無を判別するスイッチスキャンと、１回で特定の操作スイッチの操作有無のみ判別するスイッチスキャンとからなり、前記１回で複数の操作スイッチの操作有無を判別するスイッチスキャンで判断される操作スイッチを同時に実行しても問題がない操作スイッチの組み合わせとし、前記１回で特定の操作スイッチの操作有無のみ判別するスイッチスキャンで判断される操作スイッチを安全上誤動作することが絶対許されない運転スイッチとし、前記入力判別手段は、特定の操作スイッチの操作有無のみ判別するスイッチスキャンで、特定の操作スイッチに対応する列ラインの入力を含めて多数の列ラインから入力があった時、その時の特定の操作スイッチに対応する列ラインの入力を不正な信号と判別して実行しないと共に、運転停止状態ではそのまま運転停止状態とし、運転状態では運転停止状態にするものである。
【００６０】
これにより、特に安全上、誤操作やノイズによる誤信号により誤動作することが絶対許されない操作スイッチである運転スイッチの操作の判別は、運転停止状態であれば、運転スイッチの操作を判断するスイッチスキャンで、運転スイッチに該当する入力ポートのみが入力となった時だけ燃焼機器の運転を開始し、運転中であれば、運転スイッチの操作を判断するスイッチスキャンで、複数の入力ポートが入力されていても、その中に運転スイッチに該当する入力ポートが入力となっていれば、燃焼機器の運転を停止するものであり、それにより操作スイッチの同時押しによる誤操作又はノイズによる誤信号があっても、燃焼機器の開始及び停止を安全に行うことができるものである。
【図面の簡単な説明】
【図１】本発明一実施形態を付した燃焼機器の制御装置を適用した石油ファンヒータの断面図。
【図２】同回路図。
【図３】同スイッチスキャンを示すタイムチャート図。
【図４】同フローチャート図。
【図５】同その他の実施例のフローチャート図。
【図６】従来例の石油ファンヒータの外観図。
【符号の説明】
３  制御装置
１３  スイッチ部
６  操作部
１４  運転スイッチ
３７  入力判別手段
【図１】
0003923813.tif 000002
【図２】
0003923813.tif 000003
【図３】
0003923813.tif 000004
【図４】
0003923813.tif 000005
【図５】
0003923813.tif 000006
【図６】
0003923813.tif 000007